Podtech/llm-jp-corpus-v4-ja_patent huggingface dataset:
(57)【要約】      （修正有）【課題】止め具を壁に差し込んだままカレンダーを次月に変える事を可能にしたカレンダー用止め具を提供する。【解決手段】先端を尖らせた部材を壁に打ち込み固定する。２つの部材はそれぞれが適合するネジを内蔵した事により脱着可能となり何回でもダメージなく、取り外す事が出来る。色、形とデザインは幅広くそれは見た目にもおしゃれで満足させてくれるという物である。【選択図】図１
0003167345.tif 000002
【実用新案登録請求の範囲】
【請求項１】
考案した止め具の２つの部材を使用する事によって、止め具を埋めた間々カレンダーの掛け変えと固定が、壁に傷を付ける事なく脱着可能な物にした所である。それは図２の尖った先端を壁に打ち込み、カレンダーを挟み図３のキャップで軽くネジをして蓋をすると云うもので、今までに無い工程を考え加えた所である。解り易く言えば従来のカラー押しピンに、ネジと蓋をプラスし２つの部材に分けた所を、特徴とするカレンダー用止め具である。
【請求項２】
図３の部材はデザインが幅広くカラフルに果物  野菜  動物の顔  貝殻の形に至るまで可能ある。絵を掛けるような拘りを持ってカレンダーを、毎日の生活に取り入れることを提案し、更にカレンダー用止め具を特徴付ける物である。
【考案の詳細な説明】
【技術分野】
【０００１】本考案は、カラー押しピンを改造した物である。考案した改造止め具は、双方に、適合する“ねじ”を切り込む事により、止め具を壁に差し込んだままカレンダーを次月に変える事を可能にしたものである。
止め具１とキャップ２から成る２つの部材を組み合わせ使用するものである。
【背景技術】
【０００２】従来カレンダーは、押しピンを使用している場合が殆どである。毎月カレンダーが変わる度に、押しピンを押し直す為に、壁のダメージは広がる一方なのである。
釘の場合は、見た目に余りにも殺風景なのである。それにどちらの場合でも心地良い風が部屋を通り抜ける度にカレンダーが飛ばされる経験がある。
【考案の概要】
【考案が解決しようとする課題】
【０００３】▲１▼押しピンの場合、毎月カレンダーを掛け直す度に壁にダメージが付く。
▲２▼安定感がなく心地よい風に、ピンごと飛ばされてイライラすることもある。
▲３▼壁に打った釘に掛けるとかでは、無造作で見た目に余りにも殺風景である。
【課題を解決する為の手段】
【０００４】▲１▼１つは図２  先端が釘の様に尖った棒（１．５センチ）をプラスチック製で、径が３〜４ミリ  高さ６〜７ミリ位の筒状の中に棒の上部を埋め込んで固める。
尖った先端は６〜８ミリ位は残す  上部プラスチックの外周りは次項の部材と、適合する“ねじ”を彫り込む。
▲２▼２つ目は図３  前項の部材に軽くねじ込んで、蓋（キャップ）をするものである。
蓋になる内部を前項の部材と適合する空洞にし、内部にねじを彫り込む！
以上  ２つの部材から成るカレンダーに最適な止め具。
【考案の効果】
【０００５】考案の止め具を使用する事で、止め具を壁に差したままの状態でカレンダーを次月に変える事が可能となり、度々に壁に出来ていたダメージが解決する。
又、心地よい風にピンごと飛ばされた事も解消する。
止め具に拘ってアートとして楽しみを広げる事も可能で、無造作感も無くなる。
【図面の簡単な説明】
【０００６】
【図１】考案の止め具でカレンダーを止めた時の断面図である。
【図２】止め具１の全体を表す斜視図である。
【図３】止め具２の全体を表す斜視図である。
【考案を実施する為の形態】
【０００７】カレンダーの多くは、上部中心に直径５〜６ミリ位の止める為の穴があいている。
図２はそれより一周り小さい３〜４ミリの径で、長さを６〜７ミリ位の筒状のプラスチック製の物で、外周にはネジを彫り込む。
筒状の中心部に、先端が釘のように尖った棒（１．５センチ）を、先端８ミリを位残して、しっかりと埋める。
上の１つの部材を  壁にしっかり打ち込み筒状の所には、カレンダーの穴を通し考案の２つ目の部材（図３）で蓋をする格好になる。
キャップは  真ん中を空洞にして（図２）と適合するネジを彫り込む。
そのデザインは、色  形と何でも“ＯＫ”でカラフルな、果物  野菜  動物の顔等々対象になる物は、幅広く毎日の生活の中に、取り入れ楽しむ事を提案する。
【符号の説明】
【０００８】１  止め具  １
２  止め具  ２
３  金属製の先端を釘のように鋭角に尖らせた棒
４  キャップ（蓋）の外郭で内部中心は空洞
５  壁
６  カレンダー
７  キャップ（蓋）の内郭で止め具１のねじ込み部材が入るスペース
【図１】
0003167345.tif 000003
【図２】
0003167345.tif 000004
【図３】
0003167345.tif 000005
【手続補正書】
【提出日】平成23年1月12日(2011.1.12)
【手続補正１】
【補正対象書類名】実用新案登録請求の範囲
【補正対象項目名】全文
【補正方法】変更
【補正の内容】
【実用新案登録請求の範囲】
【請求項１】
筒状のプラスチック部材の外周にネジ状の刻みを設け、筒の中心に先端を尖らせた金属製の棒を装着した止め具であるネジと、中心に空洞を設けたプラスチック部材で、空洞の内周にネジと適合する刻みを設けた止め具である蓋を、組み合わせた事を特徴とするカレンダー用止め具。
【請求項２】
蓋の形状を果物、乗り物、野菜、動物の顔、又は貝殻にした事を特徴とする請求項１に記載のカレンダー用止め具。
(57)【要約】      （修正有）【課題】紙からなる容器において、加工容易性に優れた円柱及び円錐台型容器を提供する。【解決手段】側面にあたる帯の両サイドに複数個所、片方に膨らんだ突起部分と切り込みを持たせる。【選択図】図２
0003167356.tif 000002
【実用新案登録請求の範囲】
【請求項１】
紙からなる容器において、側面にあたる帯のつなぎ部分に複数個所、前記形状の突起部分を持たせることで容易に組むことが出来、組んだ後はロックがかかり固定される円柱及び円錐台型容器。
【考案の詳細な説明】
【技術分野】
【０００１】  本考案は紙からなる円柱及び円錐台型容器に関する。
【背景技術】
【０００２】  従来の紙からなる円柱及び円錐台型容器は、接着剤を使用して側面にあたる帯を貼り合わせた後、底面のメンコを固定して組み立てられる。通常、側面の帯にのりしろ部分を設けて貼り合わせ、底面のメンコを入れて固定する。メンコを接着するには相互の径が合わなければならないが、側面を貼り合わせる位置のずれや歪みが生じやすい。
【考案の概要】
【考案が解決しようとする課題】
【０００３】  側面の帯をつなぎ合わせる際に位置がずれないようにし、容易に底面のメンコを固定することを可能とする。
【課題を解決するための手段】
【０００４】  側面にあたる帯のつなぎ部分の形状を変えることで、両サイドを複数個所組んでつなぎ合わせ、接着剤なしで固定する。
【考案の効果】
【０００５】  これにより、つなぎ部分の位置決めが容易となる。また、接着剤を使用していないので、メンコを入れて固定する際に側面の径の微調整が可能となる。
【図面の簡単な説明】
【０００６】
【図１】箱の構成図
【図２】側面にあたる帯の形状
【図２】側面の組み立て手順を示す図
【符号の説明】
【０００７】１  側面にあたる帯
２  容器の底面にあたるメンコ
３  フタの側面にあたる帯
４  フタの上面にあたるメンコ
【図１】
0003167356.tif 000003
【図２】
0003167356.tif 000004
【図３】
0003167356.tif 000005
【手続補正書】
【提出日】平成23年1月26日(2011.1.26)
【手続補正１】
【補正対象書類名】実用新案登録請求の範囲
【補正対象項目名】全文
【補正方法】変更
【補正の内容】
【実用新案登録請求の範囲】
【請求項１】
紙からなる円柱及び円錐台形容器において、側面にあたる帯の両サイドに複数個所、片方に膨らんだ突起部分と切り込みを持たせることで容易に組んでつなぎ合わせることが出来、組んだ後はロックがかかり接着剤なしで固定される円柱及び円錐台型容器。
(57)【要約】      （修正有）【課題】自転車の盗難防止の為、その機能を自転車のハンドルに求め、盗難防止機能を有する自転車ハンドルを提供する。【解決手段】ＡハンドルをＢハンドルブラケットを支点とし左右から撥ね上げて、形と成す。尚、錠の形状は任意としこの項では割愛する。自転車ハンドルＡは、Ｅハンドル支柱の上部に鋼材等の金属製のハンドルブラッケトＢが設けられ、Ｄ接続金物を支点としＦサポート金具を介在させ、ハンドル全体の形を成さしめる。【選択図】図１
0003167353.tif 000002
【実用新案登録請求の範囲】
【請求項１】
折りたたみ式のハンドルを、自転車本体に装着したことを特徴とする自転車。
【請求項２】
前記、折りたたみ式のハンドルによる、請求項１記載の自転車。
【考案の詳細な説明】
【技術分野】
【０００１】  本考案は、従来の自転車の盗難防止の為、その機能を自転車のハンドルに求め、新しい機能を有する自転車のハンドルである。
【背景技術】
【０００２】  従来の自転車は、その形状、理念ゆえいとも簡単に盗難にあうといった問題点を有しており、その改善が求められる。【０００３】  しかし、現実にはその機能を放置したまま現在に至っている。従って盗難防止の観点から本発明の実施が求められる。【０００４】  尚且つ、自転車はその構造ゆえ、容易に故意的な移動もしくは撤去など、まして盗難等にもどう対処するのか、これは製作者側の問題でもある。【０００５】  そこで、盗難の危険性を除去する事が急務である。翻って考えますに各家庭、各種学校、並びに調理を伴う団体ではこのことに無頓着である。
【考案の概要】
【考案が解決しようとする課題】
【０００６】  あってはならない事、盗難や事件に対し誰が責任を持つのか、誰が責任を取るのか、本発明は応えているものと考える。【０００７】  故に、これらの事案に鑑み、従来の自転車に対する考えを一新し、新しい概念のもと、本発明の必要性が求められる。【０００８】  通常、自転車はその機能性故、持ち運びや窃盗等、現代の自転車が持つ犯罪性の除去が求められている。このことに対し既存のメーカー等ではこのことに対する意識が極めて脆弱である。【０００９】  翻って、駐車場での駐車はこれまで、そのままの形態でハンドルを折りたたむ事無く、ハンドルをそのままにして駐輪していた。この発明によりその問題は解決する。
【課題を解決するための手段】
【００１０】  盗難等、現代の自転車が持つ危険性の除去が求められている現在、なんとかしたいとの思いから、この発明に至ったものである。【００１１】  ところが、従来の自転車は、いとも簡単に盗難に会うといった側面を有している。【００１２】  よって本考案は、ハンドルを折りたたみ式とするものである。
【考案の効果】
【００１３】  従って、ハンドルを立てている自転車の事象は、盗難の恐れがある。
【図面の簡単な説明】
【００１４】
【図１】  本考案に係る自転車ハンドルの実施形態の鳥瞰図である。
【図２】  本考案に係る自転車ハンドルの側面から観た右側面図である。
【図３】  本考案に係る自転車ハンドルの上面から観た平面図である。
【考案を実施するための形態】
【実施例】
【００１５】  以下、本考案の実施の形態を図１〜図３に基ずいて説明する。【００１６】  図１は、この考案の一実施形態を示すものでこの実施形態の自転車ハンドルＡは、Ｅハンドル支柱の上部に鋼材等の金属製のハンドルブラッケトＢが設けられ、Ｄ接続金物を支点としＦサポート金具を介在させ、ハンドル全体の形を成さしめる。【００１７】  図２に於いて、Ｘハンドル本体には、その上部にＢハンドルブラッケトが設けられ、尚且つ、Ｄ接続金物を介し、両サイドにＡハンドル設け左右から撥ね上げてＣクリップをＡハンドルに装着し全体の形と成す。【００１８】  図３に於いて、まず、Ｅハンドル支柱が設けられ、その上部にＢハンドルブラケットが介在しＡハンドルを両サイドに配し、その中間にＦサポート金具を支点としてＡハンドルを左右からの撥ね上げを持って全体の形を成す。ハンドルを折りたたんだ状態を、点線で示す。
【符号の説明】
【００１９】Ａ…ハンドル                Ｅ…ハンドル支柱
Ｂ…ハンドルブラケット      Ｆ…サポート金具
Ｃ…クリップ                Ｘ…ハンドル本体
Ｄ…接続金物
【図１】
0003167353.tif 000003
【図２】
0003167353.tif 000004
【図３】
0003167353.tif 000005
【手続補正書】
【提出日】平成23年1月21日(2011.1.21)
【手続補正１】
【補正対象書類名】実用新案登録請求の範囲
【補正対象項目名】全文
【補正方法】変更
【補正の内容】
【実用新案登録請求の範囲】
【請求項１】
折りたたみ式のハンドルを、自転車本体に装着した自転車であって、ハンドル支柱上部に金属製のハンドルブラケットが設けられ、該ハンドルブラケットの左右に接続金物を有し、該接続金物を支点としてサポート金具を介在させたハンドルであることを特徴とする自転車。
【請求項２】
前記、折りたたみ式のハンドルは、左右いずれか一方のハンドルを、折りたたんだときに、他方のハンドルを挟むクリップを設けたことを特徴とする請求項１記載の自転車
(57)【要約】      （修正有）【課題】側棚の支柱間の隙間及び側棚間の隙間に利用者の身体の一部の挟まりや、ベッド側棚カバーで視界を遮断され利用者の不安感や恐怖心を和らげる柔軟性と透明度にすぐれた側棚用、透明カバー装置及び側棚上部にて手足を打ちつけた場合でも衝撃を和らげる事の出来る側棚用カバー装置を、提供する。【解決手段】ベッドの側部の側棚を柔軟性と透明度、抜群のビニール素材で作成された透明カバー本体を左右、中心部より下が開口になっている部分よりスッポリと被せ、面ファスナーと強力ホックで確実に固定する。又、側棚間５の隙間も透明隙間カバー６を簡単に面ファスナー８Ａ、Ｂで取り付け、取り外しが自在に出来、側棚上部と透明カバー本体の上部内面に衝撃を和らげる為の、ウレタン、スポンジ、クッション７を着装している透明カバー装置である。【選択図】図３
0003167357.tif 000002
【実用新案登録請求の範囲】
【請求項１】
ベッドの側部に設けられる複数の側棚と側棚間の隙間のカバーをする物であって柔軟性と透明度、抜群のビニール素材で作成され、側棚本体の中心部より下が開口となっており側棚に上部よりスッポリと被せられ取り付け、取り外しが自在で、汚れにも強く軽く拭くだけで、きれいになるのが特徴な透明、側棚カバー本体で側棚間の隙間も透明、隙間カバーと本体カバーを面ファスナーで簡単に取り付け、取り外しが自在になっており側棚カバー上部内面に衝撃を和らげる為の、ウレタン、スポンジ、クッションを装着した側棚用、透明カバー装置。
【考案の詳細な説明】
【技術分野】
【０００１】本考案はベッド上の側部に設けられた側棚の支柱間の隙間と側棚間の隙間及び側棚カバーに関するものである。
【背景技術】
【０００２】ベッド側部における側棚間の隙間及び側棚支柱の隙間に利用者の身体の一部が挟まる可能性があり、又、側棚カバーにより視界を遮断される事もある。
【考案の概要】
【考案が解決しようとする課題】
【０００３】ベッド側部に設けられた複数の側棚間の隙間及び側棚の支柱の隙間に利用者の身体の一部が挟まる事も考えられる、又、視界を遮断され恐怖心が生じることもある。【０００４】本考案はベッド内部の利用者の視界を遮断しない側棚カバー装置及び痴呆症等の利用者が無意識に側棚上部に、手足があたり怪我をすることも考えられ衝撃を和らぐ事のできる側棚用カバー装置を提供する事にある。
【課題を解決するための手段】
【０００５】利用者がベッド側棚に設けられた側棚の支柱間の隙間、及び側棚間の隙間を柔軟性と透明な素材で作成された側棚、隙間カバー本体であり透明度、抜群のビニール素材により利用者が寝たままでも外部との視界が遮断されず不安感や恐怖心が和らぎ、またベッド内の利用者を放れた所から安全の確認をする事ができる透明、側棚カバー装置である
【考案の効果】
【０００６】この考案によって左右、中心部下が開口になった透明カバー本体を側棚にスッポリと被せ側棚間の隙間もカバー本体と隙間カバーを面ファスナーで自在に用途にあわせ、取り付け、取り外しをする事によりベッド内部の利用者の身体の一部の挟まりと危険を防ぐ事ができる。また、側棚用カバー本体が透明度にすぐれたビニール素材で作成されており利用者がベッド上で寝ていても外部との視界を遮断されず寝たまま視界を確認が出来ることにより不安感や恐怖心が和らぎ、外部からもベッド内部の利用者の安全確認ができ、汚れにも強く軽く拭くだけで、きれいになるのが特徴であり、また側棚カバー本体の上内面に衝撃を和らげる為の、ウレタン、スポンジ、クッションを装着して利用者の衝撃を和らげられる工夫がされている透明、側棚カバー装置である。
【考案の実施形態】
【０００７】図面を参照しながら実施の形態の説明をする。図１は枠部１の側棚２に透明カバー本体１１を装着した図であり、柔軟性と透明度、抜群のビニール素材で作成され、透明カバー本体１１の上部内面に、衝撃を和らげる為のウレタン、スポンジ、クッション７を着装しており側棚２の隙間４に利用者の身体の一部の挟まりを防ぐ側棚用、透明カバー本体１１であり、ベッド内側の利用者の外部との視界も遮断されず、恐怖心を和らげることができ、又、外部より利用者の安全確認を鮮明に見る事のできる透明カバー装置である。
【０００８】側棚２左右上部が縫合部になっており中心部の左右、面ファスナー１３部分がら下が開口になっており側棚２上部にスッポリと被せ、面ファスナー１３と強力ホック１０Ａと１０Ｂで固定をして強力ホック９で脚部３よこを固定する。
【０００９】図５は側棚間の隙間５を防ぐ物であり透明カバー本体１１の面ファスナー８Ａと隙間カバー６の面ファスナー８Ｂを結合して、簡単に側棚間の隙間を防ぐことができ、取り外しが自在になっている。
【００１０】図３は側棚と側棚間の隙間全体を、透明カバー本体で装着した全面図である。
【図面の簡単な説明】
【００１１】
【図１】  ベッドの側棚に透明カバー本体を装着した正面図。
【図２】  側棚カバー本体。
【図３】  側棚カバー本体を側棚と側棚間の隙間に装着した正面図。
【図４】  側棚カバー本体の要部を示す開口図。
【図５】  隙間カバー本体。
【符号の説明】
【００１２】１      枠部
２      側棚
３      脚部
４      隙間
５      隙間
６      側棚間の隙間、透明カバー
７      ウレタン、スポンジ、クッション
８      隙間カバー用ファスナーＡ
８      隙間カバー用ファスナーＢ
９      強力、ホック
１０    強力、ホックＡ雌
１０    強力、ホックＢ雄
１１    側棚用、透明カバー本体
１２    縫合部
【図１】
0003167357.tif 000003
【図２】
0003167357.tif 000004
【図３】
0003167357.tif 000005
【図４】
0003167357.tif 000006
【図５】
0003167357.tif 000007
【手続補正書】
【提出日】平成23年1月27日(2011.1.27)
【手続補正１】
【補正対象書類名】実用新案登録請求の範囲
【補正対象項目名】全文
【補正方法】変更
【補正の内容】
【実用新案登録請求の範囲】
【請求項１】
ベッドの側部に設けられる複数の側棚カバーと側棚間の隙間カバーからなる物であって柔軟性と透明度抜群のビニール素材で側棚カバーと隙間カバーを作成され側棚カバーの左右、中心部より下が開口となっており側棚に上部よりスッポリと被せられ取り付け、取り外しが自在で、汚れにも強く軽く拭くだけで、きれいになるのが特徴であり側棚間の隙間も側棚カバーの内側より外側にかけて、ファスナーを縫い合わせてあり透明隙間カバーと側棚カバーを、側棚カバーの内側より外側にファスナーで簡単に取り付け、取り外しが自在になっており側棚カバー上部内面に衝撃を和らげる為のウレタン素材のスポンジクッションを装着した側棚用透明カバー装置。
(57)【要約】【課題】荷の内容物により方向を変えずに出し入れする必要がある場合、鞄内部でバランスが変わってしまい、漏洩等する場合がある。鞄内でのバランスを気にすることなく取り出し、収納できるようにしたのが本考案になる。【解決手段】鞄側部（襠部分）を縫製せず二重化することを特徴（３．側部１と４．側部２）とする。鞄の展開により、荷をそのままの位置、状態でストレスなく取り出すことが出来る鞄の提供になる。【選択図】図１
0003167360.tif 000002
【実用新案登録請求の範囲】
【請求項１】
鞄側部（襠部分）を縫製せず、鞄側部（襠部分）の縫製部材を二重に重ねることで、鞄側部（襠部分）の機能を充足させ、持ち手を開くことにより鞄の展開を可能とすることを特徴とする鞄。
【考案の詳細な説明】
【技術分野】
【０００１】  本考案は、鞄に関するが、詳しくは鞄の本体側部（襠部分）を縫製せず縫製部材を二重にすることで、鞄側部（襠部分）の機能を充足させ、かつ、持ち手を広げるだけで、鞄自体の展開ができる鞄に関するものである。
【背景技術】
【０００２】  従来の鞄は、鞄側部（襠部分）（図２の１）と（図２の２）が縫製されている。鞄の開口部や鞄側部（襠部分）への部分的なファスナー等による補助的な開口部拡張により、荷の出し入れを行うが、物により、取り出し時の引っ掛かりが発生して、スムーズな出し入れが出来ずストレスとなっている。その為、荷の出し入れには、引張たり、荷の方向やバランスなどを移動させて出し入れする必要がある。
また、ファスナーには、金属ファスナーが使用されているが多く、素材感が分離され、鞄としてのデザインが損なわれる為、同一部材のみを使用し、かつ、鞄を大きく開口部を展開できる機能を目指した。
【考案の概要】
【考案が解決しようとする課題】
【０００３】荷の内容物が液体等を含む場合は、鞄に正しく置いた場合でも、取り出しや収納時に、鞄内部が窮屈な状態のため、漏洩等が発生する場合がある。または、繊細な荷物の場合には、鞄内部で引っ掛かり等により、取り出しや格納時に破損する恐れがあるため、鞄内の空間の束縛が無い状態で荷物を取り出しや格納を行いたい場合がある。
【課題が解決する為の手段】
【０００４】本考案は、〔０００３〕を解決する為に開発したものであって、鞄側部（襠部分）を縫製せず、鞄としての機能の保持するために、鞄側部（襠部分）に対して二重化することを特徴とする鞄を提供する。鞄の展開（図６）により、荷をそのままの位置、バランスでストレスなく取り出しや収納をすることが出来る鞄を提供する。
【０００５】鞄側部（襠部分）を縫製しないため、二重化した部分を（図２の３）と（図２の４）の様に互い違いにすることにより鞄の強度を均等に保持する。
【考案の効果】
【０００６】本考案は、鞄側部（襠部分）を縫製せず、二重化することにより、縫製しない状態で鞄としての強度を保持することが可能となる（図１）。荷の移動や落下を防ぎ、かつ、止め具のみの使用によって、鞄の素材感が統一され、デザイン性を劣化させることの無い鞄を提供できる。
【図面の簡単な説明】
【０００７】
【図１】本体斜視図
【図２】本体上面図
【図３】本体展開図（縫製前）
【図４】本体正面図
【図５】本体側面図
【図６】本体展開図（縫製後）
【図１】
0003167360.tif 000003
【図２】
0003167360.tif 000004
【図３】
0003167360.tif 000005
【図４】
0003167360.tif 000006
【図５】
0003167360.tif 000007
【図６】
0003167360.tif 000008
【手続補正書】
【提出日】平成23年1月31日(2011.1.31)
【手続補正１】
【補正対象書類名】実用新案登録請求の範囲
【補正対象項目名】全文
【補正方法】変更
【補正の内容】
【実用新案登録請求の範囲】
【請求項１】
鞄側部の襠部分を縫製せず、鞄側部の襠部分を二重に重ねることで縫製しなくとも内容物の落下を防ぐことを可能とし、また、そのまま持ち手を広げる事により、簡単に鞄の展開を可能とすることを特徴とする鞄。
(57)【要約】      （修正有）【課題】容易にチリ入れ全体が上に延び、チリ入れ全体の容量が倍増するチリ入れを提供する。【解決手段】チリ入れをチリ入れ上部１と底があるチリ入れ下部４の二重構造にして、チリ入れ下部上辺部に上部止め３を設けてチリ入れ上部を上部止めの上に乗せる事によりチリ入れ全体が上に延びて手間をかけずに容量が倍増する。又チリを捨てた後はチリ入れ下部をチリ入れ上部に収納することにより、チリ入れ上部とチリ入れ下部が一体の元のチリ入れにもどる。【選択図】図１
0003167354.tif 000002
【実用新案登録請求の範囲】
【請求項１】
チリ入れ下部に、上部止めを設けたチリ入れ。
【請求項２】
隙間を設けた二重構造のチリ入れ。
【考案の詳細な説明】
【技術分野】
【０００１】  本考案は、チリ入れ下部の上辺部に上部止めを設けた、チリ入れに関するものである。
【背景技術】
【０００２】  一般家庭又、オフィス等に於いてチリ入れは、少なくとも一段物であった。このためチリ入れはすぐいっぱいになっていた。
【考案の概要】
【考案が解決しようとする課題】
【０００３】  従来のチリ入れは、一般家庭はもちろん特に紙くずを多く排出するオフィス等に於いて仕事上チリ入れはすぐいっぱいになる。このため机の周辺に置いているチリ入れのチリは仕事上すぐには捨てに行かないので、いっぱいなると山積になり雑然としていた。そこでチリ入れ下部上辺部に上部止めを設け、その上にチリ入れ上部を乗せる事によりチリ入れが上に延びる事になる。このためチリ入れの容量を手軽に倍増することが可能となり、機能的に手間がかからない単純な構造で、従来のチリ入れの欠点を解決しようとするものである。
【課題を解決すための手段】
【０００４】  本考案は、チリ入れ本体を最初は少なくとも、空洞のチリ入れ上部と底があるチリ入れ下部を二重構造にして一体のチリ入れとして使用する。このためチリ入れ上部、チリ入れ下部の間には簡単にずらし又、引き抜けるほどの隙間をつくる。そしてチリ入れ下部の上辺部に上部止めを設ける。チリがいっぱいなると下部チリ入れを持ち上げそれを抜き取ると、底のない空洞のチリ入れ上部が残る。そこで残ったチリ入れ上部をチリ入れ下部に乗せると、上部止めでチリ入れ上部が止められチリ入れ本体が上に延び、再びチリをいれることが可能になる。このためこの機能を有効に利用して手軽に容量を倍増できチリを捨てる時間的、労働的負担を軽減できる事により問題点を解決している。
【考案の効果】
【０００５】  上述の様に、本考案の上部止めを設けたチリ入れは空洞の底のないチリ入れ上部をチリ入れ下部の上部止めに乗せることにより、容易にチリ入れ全体が上に延び機能的なチリ入れができる。このためチリ入れ全体の容量が倍増することになる。そして上部止めの構造が小さくて、簡単なので、デザイン的にも小型化でき違和感はない。又、従来の細長いチリ入れは、チリの取り出しが、不便であった。
【０００６】  本考案のチリ入れは上に長く延びてもチリ入れ上部が容易にはずれることによりチリの出し入れにはまったく影響はなく、これらを有効に利用できる。そして、チリを捨てた後はチリ入れ上部を取りはずして、これにチリ入れ下部を入れこみ収納することにより手軽に元のチリ入れに戻り二重になっても、利用者には抵抗感なく使用することができる。このように簡単な構造のチリ入れであるので、一般家庭においても、小さな子供たちも手軽に利用できる又、これらを製造する企業にとっては単純な構造なので、設備投資が最小限にとどまり短期間で製品の商品化が可能となりチリ入れ製造企業を活性化できる。
【図面の簡単な説明】
【０００７】
【図１】本考案の上部止めを設けたチリ入れの実施例を示す立面図である。
【図２】本チリ入れの平面図である。
【図３】本チリ入れ底面図である。
【図４】本チリ入れの下部を上部内に収納した時の実施例を示す立面図である。
【考案を実施するための形態】
【０００８】  チリ入れ本体は、従来の底のあるチリ入れ下部と底のない空洞チリ入れ上部の二重構造になっていて下部チリ入れを空洞の上部チリ入れの中に収納しておく又、チリ入れ下部の上辺部には上部止めを設けている。そして上部止めより上には数ｃｍの突起部がある。これはチリ入れ上部を上部止めに乗せた時に、それがゆらぐことなくしっかり安定させるための突起部である。このため他のチリ入れ上部安定機能を特別に設けることなく安定性を保つ役目をする。
【実施例】
【０００９】  以下、添付図面に従って一実施例を説明する。１チリ入れ上部、３上部止め、４チリ入れ下部は耐久性のプラスチック、金属板等敵宜素材を使用する。４チリ入れ下部がチリでいっぱいになった時は、２突起部を持って軽く持ち上げることにより、残った１チリ入れ上部を手軽に取りはずすことができる。そして１チリ入れ上部を４チリ入れ下部の３上部止めの上に乗せることにより、チリ入れ全体が上に延びる。このため手間をかけずに容量が倍増するチリ入れができる又、チリを捨てた後４チリ入れ下部を１チリ入れ上部に収納することにより手軽に元の一体のチリ入れにもどる。【００１０】  本考案の一実施例は上述の如き構成からなるものであるから、一般家庭の部屋又、オフィスの個人の机周辺においても従来のチリ入れと比べてデザイン的にはまったく違和感がない。そして形は丸形、四角形、三角形といろいろ用途に応じて適用できる。
【符号の説明】
【００１１】１  上部チリ入れ
２  下部チリ入れ突起部
３  上部止め
４  下部チリ入れ
５  下部チリ入れ底
【図１】
0003167354.tif 000003
【図２】
0003167354.tif 000004
【図３】
0003167354.tif 000005
【図４】
0003167354.tif 000006
【手続補正書】
【提出日】平成23年1月24日(2011.1.24)
【手続補正１】
【補正対象書類名】実用新案登録請求の範囲
【補正対象項目名】全文
【補正方法】変更
【補正の内容】
【実用新案登録請求の範囲】
【請求項１】
底が無い空洞のチリ入れ上部と、径がそれより少し小さい大きさで底を設けたチリ入れ下部の２つから構成され、下部チリ入れの径はチリ入れ下部を上部内に収納できる大きさとし容量を倍増するために、チリ入れ上部をチリ入れ下部に乗せるための細い突起部を帯状にチリ入れ下部の上辺部周囲に設け上部止めとしたところを特徴とするチリ入れ。
(57)【要約】      （修正有）【課題】抜げにくいフットカバーを提供する。【解決手段】フットカバーの甲の部分の左右両側に引っ掛けゴムを取付け、伸縮性のあるリボンを足首及びふくらはぎ及び膝上に１〜１０回巻き回し、リボンの両端に取り付けたボタン又はＳ字フックを、フットカバーの引っ掛けゴムに引っ掛け、固定する。【選択図】図１
0003167352.tif 000002
【実用新案登録請求の範囲】
【考案の詳細な説明】
【技術分野】
【０００１】  本考案は爪先や踵を覆い、パンプスから靴下を履いても靴下（フットカバー）が見えないようにする取り付け構造に関する。
【背景技術】
【０００２】  近頃は、フットカバーと呼ばれるごく短い靴下が人気で、若い女性の間で流行している。
足全体を覆うストッキングより開放感があり足のむれや靴ずれを防いでくれて、身近な人から見られても  靴下を履いていない様子がおしゃれに感じるようだ。
そこで本出題人はこれらに関する選考技術を調べると下記の物件が合うことがわかった。
【先行技術文献】
【０００３】
【非特許文献】
【非特許文献】平成２２年８月発行  日本経済新聞掲載（足元軽く開放感）働く女性は短い靴下女性の服装のカジュアル化が進み、スカートとレギンス（足先のないタイツ）の組み合わせや丈の短いパンツ姿が目立ち、パンプスに合わせてパンプスからはみ出ないような甲が広く開いたフットカバーが人気である。
【考案の概要】
【考案が解決しようとする課題】  フットカバーはストッキングより開放感があり  破れにくくカラーも豊富で、パンプスからはみでない様に足の甲が広く開いた形が多いが、実際フットカバーを履いて歩き回ると踵の部分が外れて脱げることが多く、靴を脱ぎフットカバーを履きなおす行為を何度も繰り返すことで、イライラする問題がある。また、脱げにくいようにベルトや紐がデザインされているフットカバーは値段が高く、破れた場合そのまま一足捨てることになり、経済的に損をした気持ちになる。そこで、フットカバーに取り付け、取り外しが出来る伸縮性のあるリボンがあるとフットカバーに穴が開いたとき、他のフットカバーに取り付けリボンの使いまわしができ、フットカバーが脱げないよう固定できるのでとても経済的だと考えた。
【課題を解決するための手段】  本考案は、フットカバーの甲の内側と外側に引っ掛けゴムを取り付け  伸縮性のあるリボンを足首に１〜２回程度巻き、リボンに付いているボタンやＳ字フックを甲の内側と外側の引っ掛けゴムに掛け固定する。
【考案の効果】上記の構成により下記の効果が期待できる。
▲１▼フットカバーは脱げやすいが、伸縮性リボンが引き留めを確実に固定する。
▲２▼リボンは取り付け、取り外しが出来るのでフットカバーが破れても他のフットカバーに利用でき経済的に安く済ますことができる。
▲３▼足首に巻きまわすリボンがアクセントとなり、モチーフやスパンコール、ビーズなどを縫い付けることによりファッション性が高くなりお洒落で多様性が発見できる。
【図面の簡単な説明】「図１」、「図２」、「図３」はフットカバーの甲の内側と外側に取り付けてあるゴムひもに伸縮性のあるリボンを足首に１〜２回程度巻きまわし、リボンに付いているボタンやＳ字フックをフットカバーの甲の内側と外側の引っ掛けゴムに掛けている。
「図４」、「図５」、「図６」は引っ掛けゴムと金口やＳ字フックを拡大している。
「図７」はリボンを足首に巻きまわすバリエーションの変化を表している。
【図１】
0003167352.tif 000003
【図２】
0003167352.tif 000004
【図３】
0003167352.tif 000005
【図４】
0003167352.tif 000006
【図５】
0003167352.tif 000007
【図６】
0003167352.tif 000008
【図７】
0003167352.tif 000009
【手続補正書】
【提出日】平成23年1月24日(2011.1.24)
【手続補正１】
【補正対象書類名】実用新案登録請求の範囲
【補正対象項目名】全文
【補正方法】変更
【補正の内容】
【実用新案登録請求の範囲】
【請求項１】
フットカバーの甲の部分の左右両側に引っ掛けゴムを取付け、伸縮性のあるリボンを足首及びふくらはぎ及び膝上に１〜１０回巻き回し、リボンの両端に取り付けたボタン又はＳ字フックを、フットカバーの引っ掛けゴムに引っ掛け、固定する組み合わせ構造を特徴とするフットカバー。
(57)【要約】      （修正有）【課題】脳内・体内に帯電したプラスの静電気を、就寝中に除去するようにした枕を提供する。【解決手段】枕本体の基材１に桐材を用い、該基材１の周囲に、真鍮板等の良導性金属板２で巻回して設け、該良導性金属板２に銅線３の一端３ａを固定、あるいは着脱自在に設ける。また、固定の場合には、他端部３ｂは、コンセントアースＸに接続したり、また、銅線３の他端３ｂにアース銅棒を取り付け、該アース銅棒を、地中に埋設することを特徴とする枕により構成する。【選択図】図１
0003167318.tif 000002
【実用新案登録請求の範囲】
【請求項１】
枕本体の基材（１）に桐材を用い、該基材（１）の周囲に、真鍮板等の良導性金属板（２）で巻回して設け、該良導性金属板（２）に銅線（３）の一端（３ａ）を固定、あるいは、着脱自在に設け、固定の場合には、他端は、テレビのコンセントアース（Ｘ）に接続したり、あるいは、銅線（３）の他端（３ｂ）にアース銅棒（４）を取り付け、該アース銅棒（４）を、地中に埋設することを特徴とする枕。
【考案の詳細な説明】
【技術分野】
【０００１】
この考案は、枕に関するものであり、特に、身体、頭部に帯電するプラスの静電気を除去することにより、安眠等が可能な枕に関するものである。
【背景技術】
【０００２】
従来、現代社会においては、精神的疲労の増加による不眠症に悩む人が多く、安眠できる枕の出現が望まれている。
【０００３】
枕は、寝る時に頭を支える具であり、寝具類のひとつであり、人の就寝中に使用する必須の物であるが、安眠できる枕としては、形状や素材に特徴がある枕や、指圧部を有する枕等が実用化されている。
【０００４】
しかし、身体は、大抵、プラスの静電気を帯びており、その結果、頭痛がしたり、精神的な疲労の増加により不眠症に陥る人が多く、原因は種々考えられる。また、プラスの静電気を帯電すると、皮膚にはよくないと言われている。
【０００５】
そして、近年、マイナスイオン発生機能を有する空気清浄器等の機器が普及されているが、これはマイナスイオンによる、疲労回復、血液の浄化等の作用を目的としている。
【０００６】
従って、静電気においても、身体のプラスの静電気を取り除き、還元することにより安眠できるものであり、精神的疲労の増加による不眠症をなくすことにより、他の病気も防げるものである。
【先行技術文献】
【特許文献】
【０００７】
【特許文献１】特開平９−１６４０４９号公報
【考案の概要】
【考案が解決しようとする課題】
【０００８】
そこでこの考案は、脳内・体内に帯電したプラスの静電気を、就寝中に除去するよう開発した枕を提供するものである。
【課題を解決するための手段】
【０００９】
この考案である課題を解決するための手段は、枕本体の基材に桐材を用い、該基材の周囲に、真鍮板等の良導性金属板で巻回して設け、該良導性金属板に銅線の一端を固定し、他端は、地中に放電する枕である。
【考案の効果】
【００１０】
この考案によると、脳内に生ずる静電気を体外にアース放電することができ、血液、細胞、体液が活性化され、熟睡することができ、そして、寝付きや目覚めもよくなり、疲労回復や精神安定という副次的効果も得られ、プラスの静電気が除去されることにより、頭痛が軽減あるいは解消される等極めて有益なる効果を奏するものである。
【図面の簡単な説明】
【００１１】
【図１】この考案の一実施例を示す一部欠截斜視図である。
【図２】この考案の一実施例を示す断面図である。
【図３】この考案の他の使用状態を示す一部欠截斜視図である。
【図４】この考案に使用する銅線の一端部を示し、（ａ）は、着脱自在の構造を示す一部欠截斜視図であり、（ｂ）は、固定の場合の構造を示す一部欠截斜視図である。
【考案を実施するための形態】
【００１２】
この考案は、  枕本体の基材に桐材を用い、該基材の周囲に、真鍮板等の良導性金属板で巻回して設け、該良導性金属板に銅線の一端を固定し、他端は、コンセントアースに取り付けるか、あるいはアース銅棒を介して地中に埋設してアースする枕である。
【実施例】
【００１３】
この考案の一実施例を図１に基づいて詳細に説明すると、枕本体の基材（１）に桐材を用い、該基材（１）の周囲に、真鍮板等の良導性金属板（２）で巻回して設け、該良導性金属板（２）に銅線（３）の一端（３ａ）を固定、あるいは着脱自在とし、固定の場合、他端部（３ｂ）は、テレビのコンセントアース（Ｘ）に接続したり、あるいは、銅線（３）の他端（３ｂ）にアース銅棒（４）を取り付け、該アース銅棒（４）を、地中に埋設することを特徴とする枕から構成されるものである。
【００１４】
また、（５）は、真鍮板等の良導性金属板（２）を基材（１）に固定する固定手段であり、その一例として、一面に接着剤を有するテープで固定した状態を図示しているが、桐の基材（１）に良導性金属板（２）を固定するものであればよく、例えば、釘や接着剤等であってもよく、固定手段は特に限定しない。
【００１５】
尚、枕本体の形状は、図面では断面が半月状のものを示したが、楕円形、矩形、円形であってもよく、その形状は特定しない。
【００１６】
そして、材料である桐は、日本製であって、一年以上の乾燥保存期間を経たものを使用しており、静電気吸着効果と放電性がたかい素材である。
【００１７】
また、真鍮板等の良導性金属板（２）の一種として、黄銅があるが、該黄銅は黄金銅といわれるように、大変、高価で安全な金属であり、デラックスな枕に使用する。
【００１８】
さらに、黄銅は、細胞の必須元素である亜鉛比率が高く、イオン吸着性に優れており、味覚みらい細胞、精子卵子活性、細胞膜強化に亜鉛は不可欠なものである。
【産業上の利用可能性】
【００１９】
この考案によると、枕の技術を確立し、実施・販売することにより産業上の利用可能性がある。
【符号の説明】
【００２０】
１  基材
２  良導性金属板
３  銅線
３ａ  銅線の一端部
３ｂ  銅線の他端部
４  アース銅棒
５  固定手段
Ｘ  コンセントアース
【図１】
0003167318.tif 000003
【図２】
0003167318.tif 000004
【図３】
0003167318.tif 000005
【図４】
0003167318.tif 000006
(57)【要約】      （修正有）【課題】自然の花に近い造花である粘土フラワーを提供する。【解決手段】花弁部を備えた萼をクラフトワイヤーの先端に取り付けた粘土フラワー部と葉を付けた自然の枝木を一部重ねて接合し、接合部をフラワーテープで固定させる。【選択図】図１
0003167393.tif 000002
【実用新案登録請求の範囲】
【請求項１】
花弁部（２）を備えた萼（４）をクラフトワイヤー（６）の先端に取り付けた粘土フラワー部（９）と葉（８）を付けた自然の枝木（３）とからなり、クラフトワイヤー（６）と自然の枝木を一部重ねて接合し、接合部（３）をフラワーテープ（７）で固定させたことを特徴とするコラボレーション粘土フラワー（１）。
【請求項２】
花弁部（２）内の葯（５）は自然の花の葯を移植したことを特徴とする請求項１記載のコラボレーション粘土フラワー（１）
【考案の詳細な説明】
【技術分野】
【０００１】  本考案は、自然の枝木を利用し枝木上部に粘土フラワーを取り付け作製するコラボレーション粘土フラワーに関するものである。
【背景技術】
【０００２】  家庭、事業所では花を飾り、彩りを添えることが日常行われているが、自然の花の場合は３日程で枯れ手間のかかる、又費用を要する差し替えが必要である。【０００３】  このような手間、コストを省くために造花が用いられているが、自然の花、植物とは明らかに異なり花を飾る人を満足させるに至っていない。【０００４】  デザイン性を持たして製作された造花などを装備して設けたフラワースタンドがある
が、自然の花、植物とは明らかに異なることでデザイン性を持たしても人々の満足を得ることはできていない。【０００５】  この改善策として、自然の花に近い造花が作り出されているが、高価であること、種類も少ないことから日常的に用いられているとは言えない。
【先行技術文献】
【特許文献】
【０００６】
【特許文献１】特開平１１−６６９１５号公報
【考案の概要】
【考案が解決しようとする課題】
【０００７】  解決しようとする問題点は、自然の素材を生かし、自然に近い造花がないことである。
【課題を解決するための手段】
【０００８】  本考案は、自然に近い花を粘土フラワーで造り出し、自然の枝木を使用して
自然の花に近い粘土フラワーを組み合わせ、コラボレーションを図っていることを最も主要な特徴とする。
【考案の効果】
【０００９】  本考案の自然の枝木とのコラボレーション粘土フラワーは、粘土フラワー部と自然の枝木をフラワーテープで巻き付けたことから、自然の草花に近い状態のものであり、長期に渡り飾ることができ、また自然の枝木も簡単に交換できるという利点がある。
【図面の簡単な説明】
【００１０】
【図１】図１はコラボレーション粘土フラワーを示した全体説明図である。
【図２】図２は自然の枝木示した説明図である。
【図３】図３は自然の枝木とクラフトワイヤーをフラワーテープで固定した説明図である。
【図４】図４は粘土フラワー部を示した説明図である。
【考案を実施するための形態】
【００１１】  自然に近い造花を造り出すという目的を、花弁部２を備えた萼４をクラフトワイヤー６の先端に取り付けた粘土フラワー部９と葉８を付けた自然の枝木３を一部重ねて接合し、接合部３をフラワーテープ７で固定することで実現した。
【実施例１】
【００１２】  図１は、本考案の造花の１実施例のコラボレーション粘土フラワー１を示す説明図である。２の花弁部、３の自然の枝木、４の萼、８の葉から構成されている。自然の葉付き枝木を使用することでより自然に近い造花を造り出している。【００１３】  図２は、葉８を付けた状態の自然の枝木３の接合前を示す物である。なお、枝木３は自然の枝木で、粘土フラワー部９と接合できるものであれば図２の形状に限られるものではない。【００１４】  図３は、花弁部２を備えた萼４をクラフトワイヤー６の先端に取り付けた粘土フラワー部９のクラフトワイヤー６部と葉８を付けた自然の枝木３と重ねて接合し、接合部をフラワーテープ７で固定した状態を示したものである。フラワーテープ７は、自然の枝木３の色に近いものを選択することでより自然に近いものとすることができるのは言うまでもない。
【実施例２】
【００１５】  図４の実施例は、花弁部２内の葯５に自然の花の葯を移植した例を示す説明図である。花粉の状態を造花で造り出すことは容易ではなく、自然の花から葯を取り出し１点一点することで造花でありながら自然の花との印象を与える。【００１６】  家庭、事業所等で本考案のコラボレーション粘土フラワーを飾ることにより
３日程度で枯れる自然の花の取り替えの煩わしさから解放され、新たに購入する花代の費用が不要となる。
【産業上の利用可能性】
【００１７】  コラボレーション粘土フラワーを用いることにより、長期間飾ることができ、また枝木の交換も容易にできることから、自然の花の取り替えの煩わしさから解放され、新たに購入する花代の費用が不要となる。
【符号の説明】
【００１８】  １    コラボレーション粘土フラワー
２    花弁部
３    自然の枝木
４    萼
５    葯
６    クラフトワイヤー
７    フラワーテープ
８    葉
９    粘土フラワー部
【図１】
0003167393.tif 000003
【図２】
0003167393.tif 000004
【図３】
0003167393.tif 000005
【図４】
0003167393.tif 000006
(57)【要約】      （修正有）【課題】積雪荷重で起こる雪止め金具が前転しようとする働きを抑えることが可能な雪止め金具を提供する。【解決手段】雪止め金具はその構造上積雪荷重を受けると自らが前転しようとする力が働くので、雪止め金具の前方にその運動を防ぐ前転防止板３を取り付け、成績数値を雪止め金具の配置数量の決定の参考として信頼性のあるものとした。【選択図】図２
0003167391.tif 000002
【実用新案登録請求の範囲】
【請求項１】
横葺き金属屋根のハゼ部に配置するアングル使用の後付け雪止め金具の前方に前転防止板を取り付けた雪止め金具。
【請求項２】
転倒防止板の屋根材に接触するする部分を面とした請求項１に記載の雪止め金具。
【請求項３】
転倒防止板の前方端部を上部に曲げた請求項１または請求項２に記載の雪止め金具。
【考案の詳細な説明】
【技術分野】
【０００１】  本考案は、降雪地の家屋に配置しアングルを屋根上に横にはわせ、そのアングルを利用し屋根上の積雪の落下を防ぐ雪止め金具に関し、特に横葺き金属屋根に適した雪止め金具に関する。
【背景技術】
【０００２】  現在降雪地域の家屋に配置し屋根上の積雪の落下を防ぐ雪止め金具の強度試験は積雪荷重を棟方向から軒先方向に屋根面と平行に向かって働く力を想定して行なわれている。そしてそこで計測された数値を参考として、各家屋に配置する雪止め金具の種類を選び、またその数量を判断している。【０００３】  しかし、雪止め金具の種類によっては、実際に屋根上に取り付け積雪荷重を受けた場合に前記の力よりも違った方向に働く力によるダメージを考慮しなければならないものがある。例えば横葺き金属屋根に後付けとして取り付け、かつアングルを設置しそのアングルによって積雪の落下を防ぐものにおいてあてはまる。
この雪止め金具の場合、積雪荷重はまずアングルが受ける。そして雪止め金具に伝わる。この荷重がどのくらい大きくなると雪止め金具がこれをを取り付けた横葺き金属屋根のハゼ部から欠落するのかが、その雪止め金具の性能、或いは強度と呼ばれている。この強度を前記の試験方法で行われた成績数値をもって判断している。
ところが、検証の結果、この雪止め金具の場合、この試験方法で想定する積雪荷重を棟方向から軒先方向に屋根面と平行に向かって働く力がそのままの雪止め金具が取り付けられている屋根のハゼ部に伝わるのではなく、むしろ、設置されたアングルが雪止め金具の上部に位置するので、雪止め金具は軒先方向に前転する力が負荷されると考えられ、雪止め金具が取り付けられているハゼ部にも前記の試験方法が想定するのとは違った方向の力が働く事を発見した。
従って、この雪止め金具の性能を発揮するためにはこの前転する力の働きを抑える必要がある事を見出した。
【考案の概要】
【考案が解決しようとする課題】
【０００４】  本考案は前記課題を解決するべく積雪荷重で起こる雪止め金具が前転しようとする働きを抑えることが可能な雪止め金具を提供する事を目的とするものである。
【課題を解決するための手段】
【０００５】  本考案は上記目的を達成するために鋭意研究の結果、下記の解決手段を見出した。即ち本考案雪止め金具は請求項１に記載の通り雪止め金具の前面に前転防止板を備えた事を特徴とする。
また、請求項２に記載の雪止め金具は、請求項１に記載の雪止め金具において前転防止板の屋根材と接触し加圧する部分を面とした事を特徴とする。
更に請求項３に記載の雪止め金具は、請求項１または請求項２に記載の雪止め金具において、前転防止板の屋根材に接触し加圧する面の前方を上方に曲げた事を特徴とする。
【考案の効果】
【０００６】  本考案の雪止め金具によれば、その前転防止板の働きによって雪止め金具が前転する事を防ぐので、雪止め金具の積雪荷重に対する強度を従来のものより増す事ができる。
また、その前転防止板の屋根材に接触する部分を面にした事により、積雪加重を受けても屋根材に穴を開ける事や傷をつける事など屋根材の破損を防ぐ事ができる。
さらに前記前転防止板の前方を上方に曲げその前方端部を屋根材への接触を阻んだ事により、前記屋根材破損の防止をより確実のものとできる。
【図面の簡単な説明】
【０００７】
【図１】は図中Ａで示す本考案雪止め金具の一実施の形態の斜視図である。
【図２】は本考案雪止めの一実施の形態の屋根への設置状態を示す側面図である。
【図３】は従来の雪止め金具の屋根への設置状態を示す側面図である。
【考案を実施するための形態】
【０００８】  次に本考案の実施の形態について説明する。
図１は本考案雪止め金具の一実施の形態を示すもので、図中１ａはアングルＬを設置するためのアングル押さえ部である。図中１ｂはアングルを設置するためのアングル受け部である。この二つでアングル保持部を形成する。図中２は雪止め金具が横葺き金属屋根のハゼ部にクランプの原理でグリップする様にした対屋根材固定部である。図中３は屋根上に雪止め金具が配置されアングルＬが設置され積雪荷重を受けた場合に雪止め金具が前転することを防ぐ事を目的とした前転防止板である。
【０００９】  図２は本考案雪止め金具がアングル受け部１ｂにリベット４を設けると共にアングル押さえ部１ａに長手方向の上部に規則的に拡縮させた長穴を設け、前記リベットを前記長穴に遊嵌させてアングル押さえ部１ａをアングル受け部１ｂに対して所望の高さで固定自在とし、さらにその可動性も利用しアングルＬを設置し固定し、そのアングルＬがａ２の方向に働く力を受けても前転防止板３の前転防止板３ａの部分が雪止め金具の構造を理由として変化するｂ２の方向の力が働いても雪止め金具が前転することを説明したものである。
これにより雪止め金具の横葺き金属屋根への保持力に関して雪止め金具の前転する力を抑制し従来の雪止め金具よりも郷土を増す事が可能となるのである。
【００１０】  図３はアングルを設置した従来の雪止め金具Ｂが積雪荷重を受けた場合に生まれる力の方向を説明するものである。ａ１が積雪荷重の方向を示す。それが働くとアングルが雪止め金具の上部に位置するため雪止め金具最前部並び最下部ｘを支点としてｂ１の様に力の方向が変化して雪止め金具に関与する事を説明したものである。
【符号の説明】
【００１１】１ａ  アングル押さえ部
１ｂ  アングル受け部
２  対屋根材固定部
３  前転防止板
ａ  矢印
ｂ  矢印
３ａ  前転防止板底面
３ｂ  前転防止板前方部
４  リベット
５  長穴
ｘ  雪止め金具最前部並び最下部
【図１】
0003167391.tif 000003
【図２】
0003167391.tif 000004
【図３】
0003167391.tif 000005